(57)【要約】【課題】内部に収納する通帳、磁気カード等の磁気記録層を外部磁界から保護することができ、且つ使用中にプラスチックケースが傷んだ際に、プラスチックケースのみを取り替えるだけで再利用できる運用コストの低減が可能な防磁性ケースを提供することである。【解決手段】所定の大きさを有する長方形状の２枚の防磁板を、防磁板の一辺を所定間隔をおいて突き合わせて並列に並べた状態で台紙に接着した構成の防磁性シートを、防磁板の突き合わせ部にて防磁板が外側となるように２つ折りしてプラスチックケースの内部に収納した構成の防磁性ケースである。【選択図】　　　　図１
2004105595.tif 000002
【特許請求の範囲】
【請求項１】
長方形状の２枚の防磁板を、前記防磁板の一辺を所定間隔をおいて突き合わせて並列に並べた状態で台紙に接着した構成の防磁性シートを、前記防磁板の突き合わせ部にて前記防磁板が外側となるように２つ折りしてプラスチックケース内に収納した構成からなることを特徴とする防磁性ケース。
【請求項２】
前記台紙がプラスチックシート又はプラスチックで被覆された板紙からなることを特徴とする請求項１記載の防磁性ケース。
【請求項３】
前記防磁板がプラスチックで被覆された構成からなることを特徴とする請求項１または２記載の防磁性ケース。
【請求項４】
前記防磁板が、内部に収納される通帳、磁気カード等に取り付けられている磁気記録層よりやや大きい大きさを有している構成からなることを特徴とする請求項１記載の防磁性ケース。
【発明の詳細な説明】
【０００１】
【産業上の利用分野】
本発明は、内部に収納する通帳や磁気カードの磁気ストライプに書き込まれたデータを外部磁界から保護するための防磁性ケースに関する。
【０００２】
【従来の技術】
従来、銀行等の自動機にて使用する磁気記録層を有する通帳等の磁気記録層に書き込まれたデータを外部磁界から保護するための防磁性ケースとしては、合成樹脂等の素材で作られたケースの本体の折り曲げ部を除く部分に磁気シールド板が素材の中に内挿され、内側ポケットに入れられたカードを両側から挟むようになっている構成のカード保護ケース（例えば、特許文献１参照）、プラスチックシートで包んだ状態で、内部に収納する通帳の磁気記録層の全体を覆う大きさの防磁板が取り付けられた構成の防磁性通帳ケース（例えば、特許文献２参照）等が知られている。
【０００３】
しかしながら、上記のカード保護ケースおよび防磁性通帳ケースは、いずれもプラスチックシート等からなるケースの内部に防磁板が内挿されているため、プラスチックシートの内部に防磁板を挿入して高周波を使用したウエルダー加工等によりプラスチックシートを溶着させてケースを作製する際に、高周波加工用の電極と金属からなる防磁板との間でスパークを起こしやすく、ケースの生産性が悪くコスト高になるという欠点がある。また、ケースの開口部両端の溶着部は通帳、カード等を出し入れする際に擦れて破損しやすく、破損した際には防磁性ケースを丸ごと交換する必要があり運用コストがきわめて高くなるという欠点を有している。
【０００４】
【特許文献１】
実開昭６２−１６６０６８号公報（全文明細）（４頁、第３図）
【特許文献２】
特開２００２−１７４２１号公報（請求項１，２）
【０００５】
【発明が解決しようとする課題】
本発明は、内部に収納する通帳、磁気カード等の磁気記録層に記録されているデータを外部磁界から保護することができ、且つ防磁性ケースを長期間使用している間にプラスチックケースが傷んで使用できなくなった場合でも、プラスチックケースを取り替えるだけで再度利用することが可能な運用コストを低減できる防磁性ケースを提供することである。
【０００６】
【課題を解決するための手段】
長方形状の２枚の防磁板を、防磁板の一辺を所定間隔をおいて突き合わせて並列に並べた状態で台紙に接着した構成の防磁性シートを、防磁板の突き合わせ部にて防磁板が外側となるように２つ折りしてプラスチックケース内に収納した構成の防磁性ケースとすることにより、プラスチックケースに挿入された２つ折りした防磁性シートに挟み込むように通帳、カード等を挿入することにより磁気記録層に記録されたデータを外部磁界から保護することができるとともに、使用中にプラスチックケースが傷んだ際に、プラスチックケースのみを取り替えるだけで再度利用できるので運用コストを低減することが可能となる。
【０００７】
上記の防磁性ケースにおいて、前記台紙がプラスチックシート又はプラスチックで被覆された板紙からなる構成とすることにより、プラスチックケースに挿入された防磁性シートに挟み込むように通帳、カード等を挿入して使用する際に、防磁性シートと通帳、カード等が擦れても防磁性シートが傷みにくく汚れ、錆び等も防ぐことができる。
【０００８】
上記の防磁性ケースにおいて、防磁板がプラスチックで被覆された構成とすることにより、プラスチックケースに防磁性シートを挿入して防磁性ケースとする際に、台紙に貼り付けられている防磁板の端縁で擦れて指等が傷つくのを防止することができる。
【０００９】
上記の防磁性ケースにおいて、防磁板が、内部に収納される通帳、磁気カード等に取り付けられている磁気記録層よりやや大きい大きさを有している構成とすることにより、通帳、磁気カード等の磁気記録層を防磁板で被覆できるので磁気記録層に記録されているデータを外部磁界から保護することができる。また、防磁板を小さくできるので防磁性ケースを軽くできるとともにコストを削減することができる。
【００１０】
【発明の実施の形態】
以下、図面を引用して本発明の実施の形態を説明する。
図１は本発明の第１実施形態に使用する防磁性シートの開いた状態の平面図、図２は図１におけるＩ−Ｉ断面図、図３はプラスチックケースに防磁性シートを挿入して第１実施形態の防磁性ケースを作製する状態を示す斜視図、図４は本発明の第２実施形態に使用する防磁性シートの開いた状態の平面図、図５は図４におけるＩＩ−ＩＩ　断面図、図６は本発明の第３実施形態に使用する防磁性シートの開いた状態の平面図、図７は図６におけるＩＩＩ−ＩＩＩ断面図であり、１，　１’　は台紙、２は防磁板、３は折目、４は板紙、５はプラスチックフィルム、６は熱接着部、７はプラスチックケースをそれぞれ表す。
【００１１】
本発明の第１実施形態の防磁性ケースは、図１，２に示す防磁性シートを図３に示すようにプラスチックケース７に挿入した構成である。第１実施形態にて使用する防磁性シートは、平面図が図１に断面図が図２にそれぞれ示す通りであり、プラスチックシートからなる台紙１に、長方形状の２枚の防磁板２を防磁板２の短辺を所定間隔をおいて突き合わせて並列に並べた状態で台紙１の１辺に沿うように接着し、台紙１の１辺に直交する防磁板２の突き合わせ部の中央を通る折目３が形成された構成である。防磁板２と台紙１はエマルジョンタイプ接着剤又はホットメルトタイプ接着剤を使用して接着される。
【００１２】
図１，２に示す防磁性シートを、図３に示すように、台紙１の折目３に沿って防磁板２が外側となるように２つ折りして折目３の側からプラスチックケース７に挿入することにより本発明の第１実施形態の防磁性ケースが得られる。防磁性ケースの内部に収納される通帳や磁気カードは、２つ折りされた防磁性シートに挟むように防磁性ケース内に収納して使用される。台紙１に接着して取り付けられる２枚の防磁板２の大きさは、防磁性ケースの内部に収納する通帳や磁気カードに取り付けられる磁気記録層よりやや大きくされているので、内部に収納する通帳や磁気カードの磁気記録層に書き込まれたデータを外部磁気から保護することができる。
【００１３】
本発明の第２実施形態の防磁性ケースは、図４，５に示す防磁性シートを図３に示すようにプラスチックケース７に挿入した構成である。第２実施形態にて使用する防磁性シートは平面図が図４に断面図が図５にそれぞれ示す通りであり、板紙４の表裏をプラスチックフィルム５にて熱接着して被覆し、板紙４の外周端部にて表裏のプラスチックフィルム５を熱接着部６にて接着した構成の台紙１’に、長方形状の２枚の防磁板２を防磁板２の短辺を所定間隔をおいて突き合わせて並列に並べた状態で台紙１’の１辺に沿うように接着し、台紙１’　の１辺に直交する防磁板２の突き合わせ部の中央を通る折目３が形成された構成である。防磁板２と台紙１’　　　はホットメルトタイプ接着剤又はアクリル樹脂系粘着剤を使用して接着される。
【００１４】
図４，　５　に示す防磁性シートを、図３に示すように、台紙１’　の折目３に沿って防磁板２が外側となるように２つ折りして、折目３の側からプラスチックケース７に挿入することにより本発明の第２実施形態の防磁性ケースが得られる。防磁性ケースの使用方法及び台紙１’に接着して取り付ける２枚の防磁板２の大きさは第１実施形態と同じである。台紙１’に使用する板紙４は１００〜３００ｇ／ｍ２　　程度の厚さのものが使用される。プラスチックフィルム５は２軸延伸ポリエチレンテレフタレート等のフィルムにポリエチレン等を積層した構成のものが使用される。第２実施形態の防磁性ケースにおいても、内部に収納する通帳、カード等に対する防磁効果は第１実施形態の場合と同じである。
【００１５】
本発明の第３実施形態の防磁性ケースは、図６，７に示す防磁性シートを図３に示すようにプラスチックケース７に挿入した構成である。第３実施形態にて使用する防磁性シートは平面図が図６に断面図が図７にそれぞれ示す通りであり、プラスチックシートからなる台紙１に、表裏をプラスチックフィルム５で被覆された長方形状の２枚の防磁板２を防磁板２の短辺を所定間隔をおいて突き合わせて並列に並べた状態で台紙１の１辺に沿うように接着し、台紙１の１辺に直交する防磁板２の突き合わせ部の中央を通る折目３が形成された構成である。防磁板２と台紙１はホットメルトタイプ接着剤又はアクリル樹脂系粘着剤を使用して接着される。
【００１６】
図６，７に示す防磁性シートを、図３に示すように、台紙１の折目３に沿って防磁板２が外側となるように２つ折りして折目３の側からプラスチックケース７に挿入することにより本発明の第３実施形態の防磁性ケースが得られる。防磁性ケースの使用方法及び台紙１に接着して取り付ける２枚の防磁板２の大きさは第１実施形態と同じである。台紙１に使用する板紙４は１００〜３００ｇ／ｍ２　　程度の厚さのものが使用される。プラスチックフィルム５は２軸延伸ポリエチレンテレフタレート等のフィルムにポリエチレン等を積層した構成のものが使用される。第３実施形態の防磁性ケースにおいても、内部に収納する通帳、カード等に対する防磁効果は第１実施形態の場合と同じである。
【００１７】
本発明の防磁性ケースでは、台紙の所定位置に所定の大きさの防磁板を貼り付けた防磁性シートを防磁板が外側となるように２つ折りしてプラスチックケースに挿入した構成であるので、防磁性ケースに通帳や磁気カードを出し入れすることによりプラスチックケースが傷んで使用できなくなった場合でも、防磁性ケースを新しいものに取り替える必要がなく、プラスチックケースのみを取り替えるだけで防磁性ケースとして再度利用できるので、防磁性ケースを運用する上でのコストダウンを図ることができる。また、台紙に接着して取り付けられる防磁板の位置及び防磁板の大きさは、防磁性ケースの内部に収納する通帳や磁気カードに取り付けられている磁気記録層の位置ないしは大きさに対応するように設定されているので、使用する防磁板の大きさを小さくすることが可能となり防磁性ケースを軽量化およびコストダウンすることができる。
【００１８】
防磁板としては、軟鉄、珪素鋼板、パーマロイ、Ｎｉ鋼、アモルファス合金等からなる厚さ０．２〜０．３ｍｍの薄板を使用することができるが、パーマロイ、アモルファス合金等の比重の小さいものを使用するのが好ましい。防磁板の大きさは、内部に収納される通帳、カード等に取り付けられている磁気記録層と略同一サイズのものが使用されるので、防磁板のコストダウンを図れるとともに、防磁性ケースの軽量化が可能となるものである。
【００１９】
防磁性シートの台紙１として、実施形態ではプラスチックシートを使用した構成について説明したが、プラスチックシートに限定されるものではなく、樹脂含浸紙、合成紙、プラスチックフィルムと板紙の積層体等の表面強度の強い素材を使用することもできる。防磁性シートの台紙１’　として、実施形態では板紙をプラスチックフィルムで被覆した構成について説明したが、板紙に代えて合成紙、プラスチックシート等を使用してもよい。プラスチックフィルム５としては、２軸延伸ポリエチレンテレフタレート、２軸延伸ナイロン、２軸延伸ポリプロピレン等の２軸延伸フィルムとポリエチレン、エチレン−酢酸ビニル共重合体、ポリプロピレン等の積層体が使用できる。
【００２０】
防磁性シートを挿入するプラスチックケースとしては、柔軟性の優れた軟質の塩化ビニルシート、ポリオレフィン系樹脂からなる発泡シート、ポリエステル樹脂からなる発泡シート等が使用される。上記のシートを２つ折りして周縁部を高周波を使用したウエルダー加工により溶着させることにより袋状のプラスチックケースとされるものである。
【００２１】
【発明の効果】
長方形状の２枚の防磁板を、防磁板の一辺を所定間隔をおいて突き合わせて並列に並べた状態で台紙に接着した構成の防磁性シートを、防磁板の突き合わせ部にて防磁板が外側となるように２つ折りしてプラスチックケース内に収納した構成とすることにより、プラスチックケースに挿入された２つ折りした防磁性シートに挟み込むように通帳、カード等を挿入することにより磁気記録層に記録されたデータを外部磁界から保護することができるとともに、使用中にプラスチックケースが傷んだ際に、プラスチックケースを取り替えるだけで再利用することができるので運用コストの低減が可能となる。
【００２２】
上記の防磁性ケースにおいて、台紙がプラスチックシート又はプラスチックで被覆された板紙からなる構成とすることにより、プラスチックケースに挿入された防磁性シートに挟み込むように通帳、カード等を収納する際に、防磁性シートと通帳、カード等が擦れても防磁性シートが傷みにくくすることができる。
【００２３】
上記の防磁性ケースにおいて、防磁板がプラスチックで被覆された構成とすることにより、プラスチックケースに防磁性シートを挿入して防磁性ケースとする際に、台紙に貼り付けられている防磁板の端縁で擦れて指等が傷つくのを防止することができる。
【００２４】
上記の防磁性ケースにおいて、防磁板が、内部に収納される通帳、磁気カード等に取り付けられている磁気記録層よりやや大きい大きさを有している構成とすることにより、通帳、磁気カード等の磁気記録層を防磁板で被覆できるので磁気記録層に記録されているデータを外部磁界から保護することができる。また、防磁板を小さくできるので防磁性ケースを軽くできるとともにコストを削減することができる。
【図面の簡単な説明】
【図１】本発明の第１実施形態に使用する防磁性シートの開いた状態の平面図。
【図２】図１におけるＩ−Ｉ断面図。
【図３】プラスチックケースに防磁性シートを挿入して第１実施形態の防磁性ケースを作製する状態を示す斜視図。
【図４】本発明の第２実施形態に使用する防磁性シートの開いた状態の平面図。
【図５】図４におけるＩＩ−ＩＩ断面図。
【図６】本発明の第３実施形態に使用する防磁性シートの開いた状態の平面図。
【図７】図６におけるＩＩＩ−ＩＩＩ断面図。
【符号の説明】
１，　１’　　台紙
２　防磁板
３　折目
４　板紙
５　プラスチックフィルム
６　熱接着部
７　プラスチックケース
【図１】
2004105595.tif 000003
【図２】
2004105595.tif 000004
【図３】
2004105595.tif 000005
【図４】
2004105595.tif 000006
【図５】
2004105595.tif 000007
【図６】
2004105595.tif 000008
【図７】
2004105595.tif 000009